(57)【要約】      （修正有）【課題】制御装置を経由して、コンピュータに合わせなくても、独立に操作もでき、マルチファンクションを行って、整体のオルガンの携行性、利便性も向上される、折り巻き可能な電子オルガンのキーボードを提供する。【解決手段】キーボードは折り曲げられるワイヤで集成した折り曲げられる接続帯を経由して、制御装置に接続される。その制御装置は次の要素から形成される。外部インターフェースは少なくとも、制御装置の殻体カバーに取り付けられるスピーカ、表示スクリーン及び若干の操作ボタンを具有する。内部の制御ユニットは少なくとも、制御装置の殻体カバー内部に取り付けられるマイクロプロセッサ、メモリ及び電源ユニットを含む。スピーカ、表示スクリーンがマイクロプロセッサの出力端に接続されるが、キーボードの折り曲げられる接続帯、若干の操作ボタンがマイクロプロセッサの入力端に接続される。メモリはマイクロプロセッサに結ばれる。【選択図】図１
0003112648.tif 000002
【実用新案登録請求の範囲】
【請求項１】
折り巻き可能な電子オルガンのキーボードの制御装置において、
制御装置は、外部インターフェースと内部の制御ユニットを有し、折り曲げられるワイヤで集成した折り曲げられる接続帯を経由して、キーボードに接続し、
外部インターフェースは、制御装置の殻体カバーに取り付けたスピーカ、表示スクリーン及び操作ボタンを有し、
内部の制御ユニットは、制御装置の殻体カバー内部に取り付けたマイクロプロセッサ、メモリ及び電源ユニットを有し、
スピーカ及び表示スクリーンをマイクロプロセッサの出力端に接続し、
キーボードの折り曲げられる接続帯及び操作ボタンをマイクロプロセッサの入力端に接続し、
メモリはマイクロプロセッサと結ばれ、
電源ユニットは電源をマイクロプロセッサに供給することを特徴とする、
折り巻き可能な電子オルガンのキーボード制御装置。
【請求項２】
請求項１記載の制御装置において、
操作ボタンとして、
電源ボタンは前記マイクロプロセッサで、電源の入切を制御し、
琴音ボタンは前記マイクロプロセッサで、スピーカを命令し、押したキーの琴音を制御し、
低音リズムボタンは前記マイクロプロセッサで、スピーカを命令し、低音リズム（BASS）を再生し、
ボリューム制御ボタンは前記マイクロプロセッサで、スピーカの放送ボリュームを制御し、
デモボタンは前記マイクロプロセッサで、スピーカを命令し、楽曲を再生する。
趣味の増益ボタンは前記マイクロプロセッサの制御で、いずれかのキーを押すと、前掲のスピーカが選択された楽曲の一つの楽音を放送し、
録音ボタンは前記マイクロプロセッサの制御で、メモリを命令し、琴音をセーブし、
録音のストップボタンは前記マイクロプロセッサの制御で、メモリを命令し、琴音のセーブを止め、
録音プレーボタンは前記マイクロプロセッサの制御で、スピーカを命令し、メモリがセーブした琴音を再生し、
琴音の延長継続ボタンは前記マイクロプロセッサで、琴音の延長、継続を制御し、
震の声のボタンは前記のマイクロプロセッサで、震の声の発生を制御することを特徴とする、
折り巻き可能な電子オルガンのキーボード制御装置。
【請求項３】
請求項１又は２に記載の制御装置において、
操作ボタンには、アップ選択ボタン、ダウン選択ボタンを含み、
前記マイクロプロセッサはアップ選択ボタン、ダウン選択ボタンを経由して、再生したい琴音や低音リズムや楽曲を選択し、
前記マイクロプロセッサも前記スクリーンを命令し、選択された琴音の番号や低音リズムの番号や楽曲の番号を顕すことを特徴とする、
折り巻き可能な電子オルガンのキーボード制御装置。
【考案の詳細な説明】
【技術分野】
【０００１】
本案は折り巻き可能な電子オルガンのキーボードに関するものであり、詳しく言えば、電子オルガンのキーボードの制御装置を指す。
【背景技術】
【０００２】
従来から、既存の折り巻き可能な電子オルガンとして米国の特許第６２５９００６号があった。
その特許に掲示した電子オルガンのキーボードは折り巻き可能な、携帯できる、体積が小さい、重量が小さい、コンピュータに接続できるなどの特徴が挙げられる。
簡単に言えば、前掲の特許のキーボード部分は主に絶縁の薄片を運用し、底層とする。
導電材料をキーの形状のようにカットしたあとで、絶縁薄片の表面に結ぶ。
各キーは折り曲げられるワイヤで、コネクタに接続される。
コネクタを経由して、コンピュータに接続する。ユーザが手の指でキーを押すときに、信号がコネクタにより、コンピュータまで伝送される。
それで、コンピュータは手の指により押されるキーに応じて音声を発生する。
弾奏しない場合には、キーボードが巻き折られる。
【０００３】
【特許文献１】米国特許第０６２５９００６号明細書
【考案の開示】
【考案が解決しようとする課題】
【０００４】
上述の折り巻き可能なオルガンのキーボードは折り巻き可能な、携帯できる、体積が小さい、重量が軽いなど特性があるが、使用の際に、コンピュータに接続しなければならない。
コンピュータには、オルガンのキーボードの制御ソフトウェアがないと、キーの制御、音声の発生が出来ない。
コンピュータに接続しなければならないため、オルガンのキーボードはコンピュータから離すことができない。
さらには、オルガンのキーボードは制御ソフトウェアの制限のために、自由にいずれのコンピュータに接続できず、使用するに際して不便なものである。
【課題を解決するための手段】
【０００５】
上記のような課題を解決するために、本願の第１発明は、折り巻き可能な電子オルガンのキーボードの制御装置において、制御装置は、外部インターフェースと内部の制御ユニットを有し、折り曲げられるワイヤで集成した折り曲げられる接続帯を経由して、キーボードに接続し、外部インターフェースは、制御装置の殻体カバーに取り付けたスピーカ、表示スクリーン及び操作ボタンを有し、内部の制御ユニットは、制御装置の殻体カバー内部に取り付けたマイクロプロセッサ、メモリ及び電源ユニットを有し、スピーカ及び表示スクリーンをマイクロプロセッサの出力端に接続し、キーボードの折り曲げられる接続帯及び操作ボタンをマイクロプロセッサの入力端に接続し、メモリはマイクロプロセッサと結ばれ、電源ユニットは電源をマイクロプロセッサに供給することを特徴とする、折り巻き可能な電子オルガンのキーボード制御装置である。
【０００６】
また、本願の第２発明は、前記第１発明において、操作ボタンとして、電源ボタンは前記マイクロプロセッサで、電源の入切を制御し、琴音ボタンは前記マイクロプロセッサで、スピーカを命令し、押したキーの琴音を制御し、低音リズムボタンは前記マイクロプロセッサで、スピーカを命令し、低音リズム（BASS）を再生し、ボリューム制御ボタンは前記マイクロプロセッサで、スピーカの放送ボリュームを制御し、デモボタンは前記マイクロプロセッサで、スピーカを命令し、楽曲を再生する。趣味の増益ボタンは前記マイクロプロセッサの制御で、いずれかのキーを押すと、前掲のスピーカが選択された楽曲の一つの楽音を放送し、録音ボタンは前記マイクロプロセッサの制御で、メモリを命令し、琴音をセーブし、録音のストップボタンは前記マイクロプロセッサの制御で、メモリを命令し、琴音のセーブを止め、録音プレーボタンは前記マイクロプロセッサの制御で、スピーカを命令し、メモリがセーブした琴音を再生し、琴音の延長継続ボタンは前記マイクロプロセッサで、琴音の延長、継続を制御し、震の声のボタンは前記のマイクロプロセッサで、震の声の発生を制御することを特徴とする、折り巻き可能な電子オルガンのキーボード制御装置である。
【０００７】
また、本願の第３発明は、前記第１発明又は第２発明に記載の制御装置において、操作ボタンには、アップ選択ボタン、ダウン選択ボタンを含み、前記マイクロプロセッサはアップ選択ボタン、ダウン選択ボタンを経由して、再生したい琴音や低音リズムや楽曲を選択し、前記マイクロプロセッサも前記スクリーンを命令し、選択された琴音の番号や低音リズムの番号や楽曲の番号を顕すことを特徴とする、折り巻き可能な電子オルガンのキーボード制御装置である。
【０００８】
本案の提案者は掲示のオルガンに結合できる制御装置を提供する。
したがって、本案の主な目的は折り巻き可能な電子オルガンのキーボードの制御装置を提供することにある。
キーボードは折り曲げられるワイヤで集成した折り曲げられる接続帯を経由して、制御装置に接続される。その制御装置は次の要素から形成される。
１．外部インターフェースは少なくとも、制御装置の殻体カバーに取り付けられるスピーカ、表示スクリーン及び若干の操作ボタンを具有する。
２．内部の制御ユニットは少なくとも、制御装置の殻体カバー内部に取り付けられるマイクロプロセッサ、メモリ及び電源ユニットを含む。
スピーカ、表示スクリーンがマイクロプロセッサの出力端に接続されるが、キーボードの折り曲げられる接続帯がマイクロプロセッサの入力端に接続される。メモリはマイクロプロセッサに結ばれる。
電源ユニットは電源をマイクロプロセッサに供給する。
【考案の効果】
【０００９】
本案により、達成する目的、効果は元来、利便に携帯する、体積が小さい、重量が軽い、多様な制御ファンクションを持つなど特性を維持する以外にも、制御装置の設計を経由して、先行技術というコンピュータに接続する必要が無く、独立に操作もでき、マルチファンクションも行われる。
要するに、制御装置は整体のオルガンの携行性、利便性も向上される。
【考案を実施するための最良の形態】
【００１０】
本案の目的、特徴および効果を説明するために、以下、さらに具体的な実施例に図面をあわせて詳しく説明する。
【実施例１】
【００１１】
図１は本案の制御装置の外観及びオルガンのキーボードの配置関係を示す平面図である。
キーボード９０は主に絶縁の薄片９３を運用し、底層とする。導電材料をキーの形状のようにカットしたあとで（例えば、白いキー９１、黒いキー９２）、絶縁薄片９３の表面に結ぶ。
各制御装置１は絶縁の薄片９３の一端に接続して、外部の操作界面及び内部の制御ユニットを含む。
【００１２】
図１、図２は本案の制御装置の外観拡大図である。図面に示すように、制御装置１の外部インターフェース、部分のキー９１、９２がある。しかも、各キー９１、９２はそれぞれ折り曲げられるワイヤ９４１を経由して、折り曲げられる接続帯９４を集成し、制御装置１の内部制御ユニットに接続する。外部インターフェースは少なくとも、制御装置の殻体カバー１０に取り付けられるスピーカ２０、表示スクリーン３０及び若干の操作ボタン４０を具有する。
【００１３】
操作ボタン４０はアップ選択ボタン４１、ダウン選択ボタン４２、趣味の増益ボタン４３、デモボタン４４、電源ボタン４５、震の声のボタン４６、琴音の延長継続ボタン４７、琴音ボタン４８、低音リズムボタン４９、スタート／エンドボタン５０、ボリューム制御ボタン５１、録音ボタン５２、録音プレーボタン５３、録音のストップボタン５４などの要素から形成される。
【００１４】
前掲の電源ボタン４５は制御装置１の電源を開閉するように制御する。
【００１５】
前掲のデモボタン４４は制御ユニットに内蔵する楽曲をプレー（再生）することができる。
【００１６】
アップ選択ボタン４１、ダウン選択ボタン４２を経由して、プレーしたい楽曲を選択する。選択される楽曲は前掲のスピーカ２０から放送される。なお、対応する楽曲番号は前掲の表示スクリーン３０から顕される。
【００１７】
前掲の趣味の増益ボタン４３は主に、上述デモボタン４４に合わすように使える。
【００１８】
デモボタン４４で、プレーしたい楽曲を選択したあとで、趣味の増益ボタン４３を押す。そうすると、いずれかのキー９１、９２を押したら、前掲のスピーカ２０は次第に、選択楽曲のひとつの楽音を放送する。
詳しく言えば、ユーザがいずれかのキー９１、９２を押すと、前掲のスピーカ２０は選択された楽曲の第一楽音を放送する。もう一度、いずれかのキー９１、９２を押すと、第二の楽音を放送する。それに類推すれば、ユーザはいずれかのキー９１、９２を押して、全体の楽曲の演奏を行う。その設計は娯楽、趣味を向上させる。
趣味の増益ファンクションがあるときに、もう一度趣味の増益ボタン４３を押したら、趣味の増益ファンクションはキャンセルされる。
【００１９】
前掲の琴音ボタン４８はキー９１、９２毎のスピーカ２０を経由して出て来る音声を制御する。例えば、ピアノの音、バイオリンの音、電子オルガンの音、オルガンの音、叩き音等が挙げられる。琴音の選択は上述のアップ選択ボタン４１、ダウン選択ボタン４２で選択できる。なお、対応する琴音番号は前掲の表示スクリーン３０から顕される。
【００２０】
前掲の琴音の延長継続ボタン４７はキー９１、９２毎のスピーカ２０を経由して出て来る音声の延長、継続を制御する。いわゆる琴音の延長継続はキーを押したあとで、手の指をキーから離しても、琴音が依然として、前掲のスピーカ２０を経由し、次第に弱いように、２秒間ぐらい持続する。琴音の延長継続ファンクションがあるときに、もう一度琴音の延長継続ボタン４７を押したら、琴音の延長継続ファンクションはキャンセルされる。つまり、手の指を離すと、琴音は直ちに停止する。
【００２１】
前掲の震の声のボタン４６はキー９１、９２毎のスピーカ２０を経由して出て来る音声の予定周波振動を制御する。震の声ファンクションがあるときに、もう一度震の声ボタン４６を押したら、震の声ファンクションはキャンセルされる。
【００２２】
前掲の低音リズムボタン４９は制御ユニットに内蔵する低音リズム（BASS）のプレーを制御する。プレーしたい内蔵リズムはアップ選択ボタン４１、ダウン選択ボタン４２で選択される。なお、対応するリズム番号は前掲の表示スクリーン３０から顕される。リズムを放送するときに、キー毎の琴音はやはりスピーカ２０から放送される。つまり、低音のリズムは琴音のバックグランド音楽とする。
【００２３】
前掲のスタート／エンドボタン５０は前掲リズムのプレー、停止を制御する。
【００２４】
前掲のボリューム制御ボタン５１はスピーカ２０の放送ボリュームを制御する。
【００２５】
前掲の録音ボタン５２、録音プレーボタン５３、録音のストップボタン５４は上述の琴音を録音し、琴音の録音を止め、録音の琴音をプレーする。
【００２６】
図３は本案の制御装置の側面図である。掲示する制御装置の殻体カバー１０の側面に、さらに、電源接続のジャッキ５５、イヤホンのジャッキ５６、出力の外部接続ジャッキ５７を設ける。
電源接続のジャッキ５５は外部電力を制御装置１に供給する。イヤホンのジャッキ５６により、イヤホンを挿入、接続する。出力の外部接続ジャッキ５７により、外部のスピーカ又はオーディオを接続する。
【００２７】
図７は本案の制御装置１の制御ユニットのブロックダイヤグラムチャートである。少なくとも、次の要素を含む。
【００２８】
（１）  マイクロプロセッサ７０：
前掲のスピーカ２０、表示スクリーン３０、イヤホンのジャック５６及び出力の外部接続ジャック５７などから構成した出力装置７４はマイクロプロセッサ７０の出力端に設けられる．前掲のアップ選択ボタン４１、ダウン選択ボタン４２、趣味の増益ボタン４３、デモボタン４４、電源ボタン４５、震の声のボタン４６、琴音の延長継続ボタン４７、琴音ボタン４８、低音リズムボタン４９、スタート／エンドボタン５０、ボリューム制御ボタン５１、録音ボタン５２、録音プレーボタン５３、録音のストップボタン５４など要素から構成した操作ユニット７１はマイクロプロセッサ７０の入力端に設けられる。そして、ユーザはファンクションの選択をしながら、操作、制御できる。
各キー９１、９２はそれぞれ折り曲げられるワイヤ９４１を経由して、折り曲げられる接続帯９４を集成し、マイクロプロセッサ７０の入力端に接続する。
【００２９】
（２）メモリ７２
メモリ７２は上述の楽曲、琴音、低音リズム又はユーザが自分で録音したデータをセーブする。しかも、前掲のマイクロプロセッサ７０に接続される。メモリ７２はマイクロプロセッサ７０の外部に設置されるので、利便に、メモリのセーブデータをリニュー、拡充することができる。
【００３０】
（３）電源ユニット
電源ユニット７３は作動の電源を前掲のマイクロプロセッサ及びほかの各ユニットに供給する。電池又は電源のアダプタ-を採用する。
【００３１】
前掲のマイクロプロセッサ７０は上述の操作ユニット７１、出力装置７４、メモリ７２の動作を統一計画のように制御する。例えば、マイクロプロセッサ７０は前掲の操作ユニット７１又はキー９１、９２から入力する情報を受信し、メモリ７２のセーブしたデジタルデータを読み取り、デジタルデータを転換して、出力装置７４の音声又は数字の出力を制御する。又は、マイクロプロセッサ７０はキー９１、９２から入力したデータを受けて、それを転換し、メモリ７２のセーブを制御する。
【００３２】
図４はオルガンキーボード９０及び制御装置１の上視平面図である。図面の如く、キー９１、９２の折り曲げられる状態を示す。
図５もオルガンキーボード９０及び制御装置１の上視平面図である。図面の如く、キーボード９０の展開平面使用状態を示す。
図６もオルガンキーボード９０及び制御装置１の上視平面図である。図面の如く、キーボードが折り曲げられて、制御装置１の外を覆う状態を示す。
【図面の簡単な説明】
【００３３】
【図１】本案の制御装置の外観及びオルガンのキーボードの配置関係を示す平面図である。
【図２】本案の制御装置の外観及びオルガンのキーボードの局部を示す平面図である。
【図３】本案の制御装置の側面図である。
【図４】本案の制御装置及びキーボードの上視図である。図面で、キーボードの折り曲げられる状態を示す。
【図５】本案の制御装置及びキーボードの上視図である。図面で、キーボードの平面展開使用状態を示す。
【図６】本案の制御装置及びキーボードの上視図である。図面で、キーボードが折り曲げられて、制御装置の外を覆う状態を示す。
【図７】本案により、制御装置の制御ユニットのブロックダイヤグラムチャートである。
【符号の説明】
【００３４】
１    制御装置                      ７０    マイクロプロセッサ
１０  殻体のカバー                  ７１    操作ユニット
２０  スピーカ                      ７２    メモリ
３０  表示スクリーン                ７３    電源ユニット
４０  操作ボタン                    ７４    出力装置
４１  アップ選択ボタン              ９０    オルガンのキーボード
４２  ダウン選択ボタン              ９１    キー
４３  趣味の増益ボタン              ９２    キー
４４  デモボタン                    ９３    絶縁薄片
４５  電源ボタン                    ９４    接続帯
４６  震え声ボタン                  ９４１  ワイヤ
１４  琴音の延長継続ボタン
４８  琴音ボタン
４９  低音リズムボタン
５０  スタート／エンドボタン
５１  ボリューム制御ボタン
５２  録音ボタン
５３  録音プレーボタン
５４  録音ストップボタン
５５  電源の接続ジャック
５６  イヤホンのジャック
５７  出力の外部接続ジャック
【図１】
0003112648.tif 000003
【図２】
0003112648.tif 000004
【図３】
0003112648.tif 000005
【図４】
0003112648.tif 000006
【図５】
0003112648.tif 000007
【図６】
0003112648.tif 000008
【図７】
0003112648.tif 000009
【手続補正書】
【提出日】平成17年5月19日(2005.5.19)
【手続補正１】
【補正対象書類名】実用新案登録請求の範囲
【補正対象項目名】全文
【補正方法】変更
【補正の内容】
【実用新案登録請求の範囲】
【請求項１】
折り巻き可能な電子オルガンのキーボードの制御装置において、
制御装置は、外部インターフェースと内部の制御ユニットを有し、折り曲げられるワイヤで集成した折り曲げられる接続帯を経由して、キーボードに接続し、
外部インターフェースは、制御装置の殻体カバーに取り付けたスピーカ、表示スクリーン及び操作ボタンを有し、
内部の制御ユニットは、制御装置の殻体カバー内部に取り付けたマイクロプロセッサ、メモリ及び電源ユニットを有し、
スピーカ及び表示スクリーンをマイクロプロセッサの出力端に接続し、
キーボードの折り曲げられる接続帯及び操作ボタンをマイクロプロセッサの入力端に接続し、
メモリはマイクロプロセッサと結ばれ、
電源ユニットは電源をマイクロプロセッサに供給することを特徴とする、
折り巻き可能な電子オルガンのキーボード制御装置。
【請求項２】
請求項１記載の制御装置において、
操作ボタンには、少なくとも電源ボタン、琴音ボタン、低音リズムボタン、ボリューム制御ボタン、デモボタン、趣味の増益ボタン、録音ボタン、録音のストップボタン、録音プレーボタン、琴音の延長継続ボタン、震の声のボタンを含み、
電源ボタンは前記マイクロプロセッサで、電源の入切を制御し、
琴音ボタンは前記マイクロプロセッサで、スピーカを命令し、押したキーの琴音を制御し、
低音リズムボタンは前記マイクロプロセッサで、スピーカを命令し、低音リズム（BASS）を再生し、
ボリューム制御ボタンは前記マイクロプロセッサで、スピーカの放送ボリュームを制御し、
デモボタンは前記マイクロプロセッサで、スピーカを命令し、楽曲を再生し、
趣味の増益ボタンは前記マイクロプロセッサの制御で、いずれかのキーを押すと、前掲のスピーカが選択された楽曲の一つの楽音を放送し、
録音ボタンは前記マイクロプロセッサの制御で、メモリを命令し、琴音をセーブし、
録音のストップボタンは前記マイクロプロセッサの制御で、メモリを命令し、琴音のセーブを止め、
録音プレーボタンは前記マイクロプロセッサの制御で、スピーカを命令し、メモリがセーブした琴音を再生し、
琴音の延長継続ボタンは前記マイクロプロセッサで、琴音の延長、継続を制御し、
震の声のボタンは前記のマイクロプロセッサで、震の声の発生を制御することを特徴とする、
折り巻き可能な電子オルガンのキーボード制御装置。
【請求項３】
請求項１又は２に記載の制御装置において、
操作ボタンには、アップ選択ボタン、ダウン選択ボタンを含み、
前記マイクロプロセッサはアップ選択ボタン、ダウン選択ボタンを経由して、再生したい琴音や低音リズムや楽曲を選択し、
前記マイクロプロセッサも前記スクリーンを命令し、選択された琴音の番号や低音リズムの番号や楽曲の番号を顕すことを特徴とする、
折り巻き可能な電子オルガンのキーボード制御装置。
【手続補正２】
【補正対象書類名】明細書
【補正対象項目名】０００６
【補正方法】変更
【補正の内容】
【０００６】
また、本願の第２発明は、前記第１発明において、操作ボタンには、少なくとも電源ボタン、琴音ボタン、低音リズムボタン、ボリューム制御ボタン、デモボタン、趣味の増益ボタン、録音ボタン、録音のストップボタン、録音プレーボタン、琴音の延長継続ボタン、震の声のボタンを含み、電源ボタンは前記マイクロプロセッサで、電源の入切を制御し、琴音ボタンは前記マイクロプロセッサで、スピーカを命令し、押したキーの琴音を制御し、低音リズムボタンは前記マイクロプロセッサで、スピーカを命令し、低音リズム（BASS）を再生し、ボリューム制御ボタンは前記マイクロプロセッサで、スピーカの放送ボリュームを制御し、デモボタンは前記マイクロプロセッサで、スピーカを命令し、楽曲を再生し、趣味の増益ボタンは前記マイクロプロセッサの制御で、いずれかのキーを押すと、前掲のスピーカが選択された楽曲の一つの楽音を放送し、録音ボタンは前記マイクロプロセッサの制御で、メモリを命令し、琴音をセーブし、録音のストップボタンは前記マイクロプロセッサの制御で、メモリを命令し、琴音のセーブを止め、録音プレーボタンは前記マイクロプロセッサの制御で、スピーカを命令し、メモリがセーブした琴音を再生し、琴音の延長継続ボタンは前記マイクロプロセッサで、琴音の延長、継続を制御し、震の声のボタンは前記のマイクロプロセッサで、震の声の発生を制御することを特徴とする、折り巻き可能な電子オルガンのキーボード制御装置である。